(57)【要約】【課題】穴が十分に広がり、かつ、穴が維持される梯子状織物を用いた留付具を提供する。【解決手段】梯子状織物は、縦糸と緯糸とにより織成された二条の帯部と、帯部の間において緯糸が所定本数ごとに架橋状に絞り込まれることによって列状になった穴が開口した梯子部と、を有する。さらに、梯子状織物は、梯子部の両側において、緯糸の所定本数ごとに織り込まれた絞用縦糸と、所定本数ずつの緯糸を一単位とし、左右に転じながらレノ織りで前記絞用経糸に交差するように織り込まれた搦糸と、を有する。搦糸は、モノフィラメント糸であって、絞用縦糸の両側に織り込まれている。梯子状織物は、梯子部を二列以上有していてもよい。【選択図】図１３
2018131897.tif 000002
【特許請求の範囲】
【請求項１】
梯子状織物と止着具とを具備した留付具であって、
前記梯子状織物は、
縦糸と緯糸とにより織成された二条の帯部と、
前記帯部の間において緯糸が所定本数ごとに架橋状に絞り込まれることによって列状になった穴が開口した梯子部と、を有する梯子状織物であって、
前記梯子部の両側において、前記緯糸に織り込まれた複数本の絞用縦糸と、
前記所定本数ずつの緯糸を一単位とし、左右に転じながらレノ織りで前記絞用経糸に交差するように織り込まれた搦糸と、を有し、
複数本の前記絞用経糸のうちで両端の２本以外は、前記緯糸の前記所定本数ずつを一単位として跨ぐように前記緯糸に織り込まれており、
複数本の前記絞用経糸のうちで両端の２本は、前記緯糸の前記所定本数の半分ずつを一単位として跨ぐように前記緯糸に織り込まれ、
前記止着具は、
前記梯子状織物の穴に挿通されるボス部と、前記ボス部に外嵌して前記ボス部に係着する止着環と、を有する
ことを特徴とする留付具。
【請求項２】
請求項１に記載の留付具において、
前記搦糸は、その断面が円形である
ことを特徴とする留付具。
【請求項３】
請求項１または請求項２に記載の留付具において、
前記搦糸は、モノフィラメント糸であって、その直径は、フィラメント糸である緯糸の直径の０．５倍以上である
ことを特徴とする留付具。
【請求項４】
請求項１から請求項３のいずれかに記載の留付具において、
前記搦糸は、モノフィラメント糸であって、その直径は、０．１ｍｍから１．０ｍｍである
ことを特徴とする留付具。
【請求項５】
請求項１または請求項２に記載の留付具において、
前記搦糸は、マルチフィラメント糸であって、その直径が０．２ｍｍから０．６ｍｍであり、８０〜２４０ターン／ｍの撚りがかけられている
ことを特徴とする留付具。
【請求項６】
請求項１から請求項５のいずれかに記載の留付具において、
前記搦糸は、絞用縦糸の両側に織り込まれている
ことを特徴とする留付具。
【請求項７】
請求項１から請求項６のいずれかに記載の留付具において、
前記梯子部を二列以上有する
ことを特徴とする留付具。
【請求項８】
テントの布シートに取付布を取り付け、
請求項１から請求項７のいずれかに記載の留付具により、前記取付布をポールに取り付ける
ことを特徴とするテントの設営方法。
【請求項９】
梯子状織物と止着具とを具備した留付具であって、
前記梯子状織物は、
縦糸と緯糸とにより織成された二条の帯部と、
前記帯部の間において緯糸が所定本数ごとに架橋状に絞り込まれることによって列状になった穴が開口した梯子部と、を有する梯子状織物であって、
前記梯子部の両側において、前記緯糸に織り込まれた複数本の絞用縦糸と、
前記所定本数ずつの緯糸を一単位とし、左右に転じながらレノ織りで前記絞用経糸に交差するように織り込まれた搦糸と、を有し、
複数本の前記絞用経糸のうちの少なくとも１本は、前記緯糸の前記所定本数ずつを一単位として跨ぐように前記緯糸に織り込まれており、かつ、
複数本の前記絞用経糸のうちの少なくとも他の１本は、前記緯糸の前記所定本数の半分ずつを一単位として跨ぐように前記緯糸に織り込まれ、
前記止着具は、
前記梯子状織物の穴に挿通されるボス部と、前記ボス部に外嵌して前記ボス部に係着する止着環と、を有する
ことを特徴とする留付具。
【発明の詳細な説明】
【技術分野】
【０００１】
本発明は、所定間隔で開口部を有する織物である梯子状織物を用いた留付具に関する。
【背景技術】
【０００２】
所定間隔で開口部を有する梯子状織物が本出願人によって既に提案されている（特許文献１、特許文献２）。梯子状織物は、経糸と緯糸とにより織成された２条の帯部分の間に適宜間隔で開口部を形成するように緯糸を架橋状に配している。架橋状に配された緯糸同士の間に開口部を形成するように、複数本の緯糸を集束するように束ねる。
【先行技術文献】
【特許文献】
【０００３】
【特許文献１】特許３３１８６７２号
【特許文献２】特許３６７６８６１号
【発明の概要】
【発明が解決しようとする課題】
【０００４】
従来の梯子状織物にあっては、緯糸をしっかり集束できず、結果として穴が十分に広がらず、穴が塞がってしまうという問題があった。
【課題を解決するための手段】
【０００５】
本発明の留付具は、
梯子状織物と止着具とを具備した留付具であって、
前記梯子状織物は、
縦糸と緯糸とにより織成された二条の帯部と、
前記帯部の間において緯糸が所定本数ごとに架橋状に絞り込まれることによって列状になった穴が開口した梯子部と、を有する梯子状織物であって、
前記梯子部の両側において、前記緯糸に織り込まれた複数本の絞用縦糸と、
前記所定本数ずつの緯糸を一単位とし、左右に転じながらレノ織りで前記絞用経糸に交差するように織り込まれた搦糸と、を有し、
複数本の前記絞用経糸のうちで両端の２本以外は、前記緯糸の前記所定本数ずつを一単位として跨ぐように前記緯糸に織り込まれており、
複数本の前記絞用経糸のうちで両端の２本は、前記緯糸の前記所定本数の半分ずつを一単位として跨ぐように前記緯糸に織り込まれ、
前記止着具は、
前記梯子状織物の穴に挿通されるボス部、および、前記ボス部に外嵌してボス部に係着する止着環と、を有する
ことを特徴とする。
【０００６】
本発明では、
前記搦糸は、その断面が円形である
ことが好ましい。
【０００７】
本発明では、
前記搦糸は、モノフィラメント糸であって、その直径は、フィラメント糸である緯糸の直径の０．５倍以上である
ことが好ましい。
【０００８】
本発明では、
前記搦糸は、モノフィラメント糸であって、その直径は、０．１ｍｍから１．０ｍｍである
ことが好ましい。
【０００９】
本発明では、
前記搦糸は、マルチフィラメント糸であって、その直径が０．２ｍｍから０．６ｍｍであり、８０〜２４０ターン／ｍの撚りがかけられている
ことが好ましい。
【００１０】
本発明では、
前記搦糸は、絞用縦糸の両側に織り込まれている
ことが好ましい。
【００１１】
本発明では、
前記梯子部を二列以上有する
ことが好ましい。
【００１２】
本発明のテントの設営方法は、
テントの布シートに取付布を取り付け、
前記留付具により、前記取付布をポールに取り付ける
ことを特徴とする。
【００１３】
本発明の留付具は、
梯子状織物と止着具とを具備した留付具であって、
前記梯子状織物は、
縦糸と緯糸とにより織成された二条の帯部と、
前記帯部の間において緯糸が所定本数ごとに架橋状に絞り込まれることによって列状になった穴が開口した梯子部と、を有する梯子状織物であって、
前記梯子部の両側において、前記緯糸に織り込まれた複数本の絞用縦糸と、
前記所定本数ずつの緯糸を一単位とし、左右に転じながらレノ織りで前記絞用経糸に交差するように織り込まれた搦糸と、を有し、
複数本の前記絞用経糸のうちの少なくとも１本は、前記緯糸の前記所定本数ずつを一単位として跨ぐように前記緯糸に織り込まれており、かつ、
複数本の前記絞用経糸のうちの少なくとも他の１本は、前記緯糸の前記所定本数の半分ずつを一単位として跨ぐように前記緯糸に織り込まれ、
前記止着具は、
前記梯子状織物の穴に挿通されるボス部と、前記ボス部に外嵌して前記ボス部に係着する止着環と、を有する
ことを特徴とする。
【図面の簡単な説明】
【００１４】
【図１】本発明の第１実施形態の平面図。
【図２】図１中の丸囲みの部分を拡大して示す図。
【図３】図２の要部を拡大して示す図。
【図４】図２中のＩＶ−ＩＶ線における断面図。
【図５】図２中のＶ−Ｖにおける線断面図。
【図６】図２中のＶＩ−ＶＩ線における断面図。
【図７】図３中のＶＩＩ―ＶＩＩ線における断面図。
【図８】留付具の使用例を示す図。
【図９】留付具の使用例を示す図。
【図１０】留付具の使用例を示す図。
【図１１】留付具の使用例を示す図。
【図１２】搦糸を絞用経糸の両側に織り込んだ例を示す図。
【図１３】穴ａを２列以上有する梯子状織物を例示した図。
【図１４】絞用経糸の織り込み方の変形例を示す図。
【発明を実施するための形態】
【００１５】
（第１実施形態）
本発明の実施形態を図示するとともに図中の各要素に付した符号を参照して説明する。
図１は、本発明の第１実施形態の平面図である。
図１において、梯子状織物Ａは、所定巾を有する２条の帯部分Ａ′と、これら左右の帯部分Ａ′の間に適宜間隔で架橋状に配されてその間に開口部ａを形成する架橋部分Ａ″と、を有する。
【００１６】
図２は、梯子状織物Ａの組織を説明するため、図１中の丸囲みの部分を拡大して示す図である。
さらに図３は、図２の要部を拡大して示す図である。
【００１７】
帯部分Ａ′は、経糸１と緯糸２から織成されている。
経糸１および緯糸２はフィラメント糸であって、例えば、ポリエステル繊維等の引張り強度に優れたフィラメントを複数束ねたものを使用するのが好ましい。
ここで、図４は、図２中のＩＶ−ＩＶ線における断面図である。
図５は、図２中のＶ−Ｖにおける線断面図である。
帯部分Ａ′の組織は、図４、図５からも明らかなように、緯糸２がニードルにより送られるため２本ずつ１組みとなった状態で経糸１に織り込まれた組織となっている。
なお、緯糸２がシャトルにより送られる織機では、経糸１と１本ずつ織成することが可能となる。
【００１８】
図６は、図２中のＶＩ−ＶＩ線における断面図である。
上記架橋部分Ａ″は、上記帯部分Ａ″の緯糸２を８本（４組）ずつ絞り込んで、その間に穴（開口部）ａを形成するようになっている。
図７は、図３中のＶＩＩ―ＶＩＩ線における断面図である。
【００１９】
該緯糸２の絞り込みは、図３および図７からも明らかなように、上記帯部分Ａ′の内側に沿って織り込んだ４本の絞用経糸３と、該絞用経糸３に絡むように織り込まれた搦糸４と、により行われる。
絞用経糸３に一番内側のものから順に符号３１、３２、３３、３４を付ける。
４本の絞用経糸３のうち、真ん中の二本３２、３３は、８本（４組）ずつの緯糸２を一単位として跨ぐように緯糸２に織り込まれている。
言い換えると、連続８本（４組）の緯糸２が絞用経糸３２、３３の上（または下）を亘ったあと、絞用経糸３２、３３の上下を組み換えて連続８本（４組）の緯糸２が絞用経糸３の下（または上）を亘る。
【００２０】
４本の絞用経糸３のうち、両端の二本３１、３４は、４本（２組）ずつの緯糸２を一単位として跨ぐように緯糸２に織り込まれている。
言い換えると、連続４本（２組）の緯糸２が絞用経糸３１、３４の上（または下）を亘ったあと、絞用経糸３１、３４の上下を組み換えて連続４本（２組）の緯糸２が絞用経糸３の下（または上）を亘る。
【００２１】
搦糸４は、これらの４本の絞用経糸３に対してレノ織りになっている。
搦糸４は、８本（４組）ずつの緯糸２を一単位とし、４本の絞用経糸３に対して左右に交差している。
図３でいうと、搦糸４は、４本の絞用経糸３の右側で連続８本（４組）の緯糸２の上を亘り、その後、４本の絞用経糸３の裏を通って、次は、４本の絞用経糸３の左側で連続８本（４組）の緯糸２の上を亘る。このように搦糸４を入れることにより、架橋部分を構成する連続８本（４組）の緯糸２を集束して上下方向に穴ａを広げ、穴ａが十分に広がるようにする。（図３中の白抜き矢印により緯糸２の移動方向を示した。）また、搦糸４により、連続８本（４組）の緯糸２が集束した状態をしっかりと維持し、穴が塞がらないようにする。さらに、搦糸４により、４本の絞用経糸３が横方向にずれないようにしている。
【００２２】
搦糸４をレノ織りとするのは、４本の絞用経糸３の横方向のずれを規制しておくためである。
搦糸４をレノ織りで入れておくことにより、絞用経糸３が横にずれて穴が塞がるのを規制している。
【００２３】
搦糸４はモノフィラメントとすることが好ましい。
搦糸４には、穴を広げるように緯糸２を束ねてくる役割がある。搦糸４が緯糸２と同じフィラメント糸であると、両者の間に大きな摩擦が働き、緯糸２がスムースに動かない。すると、穴ａが上下方向に十分に広がらないという問題が生じる。フィラメント糸は交差点で平面的に潰れて互いの接触面積が大きくなり、両者の間に大きな摩擦が生じる。この性質は組織を維持する織物としては大切であるが、梯子状織物の穴を広げるという搦糸４の特殊な役割を考えると、緯糸２は搦糸４に対して容易に滑ることが必要である。
従って、フィラメント糸である緯糸２との間に大きな摩擦が働かないように、搦糸４はフィラメント糸ではなくモノフィラメントとすることが好ましい。
【００２４】
さらに、摩擦を少なくするには、搦糸４の断面形状を円形にして接触面積ができる限り小さくなるようにするのが好ましい。
【００２５】
また、搦糸４の直径φを０．２５ｍｍ程度とすることが好ましい。
これは、マルチフィラメント糸の直径φが例えば０．３２ｍｍ程度であることに対し、０．５倍以上である。
搦糸４は、穴を広げるように緯糸２を束ねてきて、さらに、緯糸２を集束した状態を維持しておく強度が求められる。
したがって、搦糸４は、十分な強度を持つようにポリエステル等のモノフィラメントであって太い方が良い。
（ちなみに、単純に通常のフィラメント糸では、複数本の緯糸２を束ねてくる力が得られない。）
連続８本（４組）の緯糸２が集束した状態をしっかりと維持できる強度が搦糸４の径の下限を規定する。
【００２６】
ただし、搦糸４はレノ織りで織り込まれるのであるから、搦糸４の径の上限はレノ織りできる限界の太さによって規制される。搦糸４をレノ織りで織り込むには、搦糸を宙に吊りながら左右に転（捻）じなければならず、搦糸を操る綜絖にはかなりの負担がかかる。モノフィラメントが太くなると織機を構成する金属よりも強度が強くなるので、織機の綜絖の方に大きな負担が掛かり、糸（モノフィラメント）が上手く送られないと織機の綜絖の方が破損する。経験的に、直径１ｍｍを超えるモノフィラメントをレノ織りするのは不可能である。
【００２７】
緯糸２を集束できる強度があることと、レノ織りできることと、の二条件により搦糸４の径には下限と上限がある。
そこで、搦糸４は、ポリエステル等のモノフィラメントであって、直径が０．１ｍｍから１．０ｍｍとすることが好ましく、さらには、０．２ｍｍから０．７ｍｍとすることがより好ましく、さらには、０．２ｍｍから０．４ｍｍとすることがより好ましい。
【００２８】
このような構成により、十分に広い穴を形成し、さらに穴を維持する梯子状織物を得ることができる。
【００２９】
（留付具の使用例）
留付具の使用例を簡単に説明しておく。
ここでは、テント等の布シートＳを、取付布Ｔと梯子状織物Ａと止着具Ｂとを用いてポールＰに固定する構造を説明する。
【００３０】
まず、図８に示すように、梯子状織物Ａの一端部付近の開口部ａに止着具Ｂのボス部Ｂ２を通す。次に、図９に示すように、梯子状織物Ａの上記一端部を上記取付布Ｔの穴Ｔ″に通してから折り曲げて、さらに、梯子状織物Ａの端部の開口部ａに止着具Ｂのボス部Ｂ２を通す。そして、該ボス部Ｂ２に止着環Ｂ３を嵌め込み固定する。
【００３１】
次に、上記梯子状織物Ａの他側を上記取付布Ｔの穴Ｔ″に通して（図９参照）から梯子状織物Ａを折り返えし、上記一端部の外側に重ね合わせると共に絞り込んだ状態で、図１０に示すように、梯子状織物Ａの他端部の開口部ａに上記止着具Ｂのボス部Ｂ２を差し込む。最終的に、図１１に示すように、ボス部Ｂ２に他方の止着環Ｂ４を嵌め込んで固定する。なお、梯子状織物Ａの開口部ａにボス部Ｂ２を通す際には、図示（図１１）のように梯子状織物Ａの端部を折り返しておくのが、結束強度の観点から好ましい。
【００３２】
（変形例１）
図１２に例示するように、搦糸４を、４本の絞用縦糸３の両側に入れるようにしてもよい。
絞用縦糸３の横ずれを規制する作用についても、緯糸を集束する作用についても、２倍の効果が得られる。
また、搦糸４を絞用縦糸３の両側に入れるとすれば、一本の搦糸４の強度を弱くしてもよい。
この場合、一本の搦糸４は、ポリエステル等のモノフィラメントであって、その直径を０．１５ｍｍ〜０．２５ｍｍ程度にしてもよい。
太い搦糸４をレノ織りにするのは織機に負担が大きいので、搦糸４を小さくできるのは大きなメリットである。
ただし、レノ織りが多くなるので織り作業自体はやや複雑化するのであるが、織機の負担が軽くなるのはやはりメリットが大きい。
【００３３】
（変形例２）
穴ａは一列だけに限定されない。例えば、図１３に示すように、穴ａが２列以上設けられてもよい。
【００３４】
このような梯子状織物の利用方法としては、上記固定構造の他、例えば吊り下げ具としての利用も考えられる。この梯子状織物を壁等に吊しておき、そして、梯子状織物の穴にフックやハンガーを引っ掛けて、小物や洗濯物を吊す、といった利用が例として挙げられる。
従来の梯子状織物は、穴が小さかったり時間が経つと穴が徐々に小さくなってきたりといった変化があったため、このような吊り下げ具としての利用はやや難しかった。（上記固定構造であれば、一旦固定してしまえば穴が塞がっても問題が無い。）この点、本発明によれば、十分に穴が開き、さらに、穴が長期に亘って維持されるので、引っ掛けたり取り外したりといった繰り返しの利用にも十分に耐えられる。
【００３５】
なお、本発明は上記実施の形態に限られたものではなく、趣旨を逸脱しない範囲で適宜変更することが可能である。
搦糸４をモノフィラメントではなく、マルチフィラメント糸としてもよい。
この場合、撚りを強くかけて、潰れにくくしておくことが望ましい。
マルチフィラメント糸の直径が０．２ｍｍから０．６ｍｍであり、撚りを８０〜２４０ターン／ｍ程度にすることが好ましい。さらに好ましくは、１００〜１５０ターン／ｍであり、１２０ターン／ｍ程度とするのがより好ましい。
【００３６】
架橋部分Ａ″は、上記帯部分Ａ″の緯糸２を８本（４組）ずつ絞って構成するとしたが、数字は例示に過ぎず、架橋部分は２０本（１０組）や３０本（１５組）の緯糸２で構成されてもよい。
【００３７】
上記第１実施形態において、絞用経糸３（３１、３２、３３、３４）を緯糸２に織り込むにあたり、真ん中の二本３２、３３は緯糸２を８本（４組）ずつ跨ぐようにし、両端の二本３１、３４は、緯糸２を４本（２組）ずつ跨ぐようにした。
例えば、図１４に示すように、両端の二本３１、３４についても緯糸２を８本（４組）ずつ跨ぐようにしてももちろんよい。
【００３８】
ただ、図１４のようにすべての絞用経糸３（３１、３２、３３、３４）が緯糸２を８本（４組）ずつ跨ぐと、搦糸４が一本のときは良いが、変形例１のように搦糸４を絞用縦糸３（３１−３４）の両側に入れるとなるとうまくいかない。
搦糸４が絞用経糸３および緯糸２を絞ったり押えたりするには、搦糸４と絞用経糸３とがクロス（交差）しなければならない。
（交差していないと、搦糸４が絞用経糸３を乗り越えてしまって、絞用経糸３および緯糸２に力を掛けられない。）
変形例１のごとく搦糸４を絞用経糸３の両側にいれるとして、絞用経糸３も搦糸４も同じピッチで緯糸２を跨いでいると、どちらかの側で交差（クロス）しないところがでてくる。
したがって、変形例１のように搦糸４を絞用経糸３の両側にいれる場合には、少なくとも搦糸４に隣り合う絞用経糸３については搦糸４と異なるピッチで緯糸に織り込み、架橋部分を絞り込めるように搦糸４と絞用経糸３とが交差するようにする。
【符号の説明】
【００３９】
１…経糸、２…緯糸、３…絞用経糸、４…搦糸、ａ…穴、Ａ…梯子状織物、Ａ'…帯部分、Ａ"…架橋部、Ｂ…止着具、Ｂ２…ボス部、Ｂ３…止着環、Ｂ４…止着環、Ｐ…ポール、Ｓ…布シート、Ｔ…取付布。
【図１】
2018131897.tif 000003
【図２】
2018131897.tif 000004
【図３】
2018131897.tif 000005
【図４】
2018131897.tif 000006
【図５】
2018131897.tif 000007
【図６】
2018131897.tif 000008
【図７】
2018131897.tif 000009
【図８】
2018131897.tif 000010
【図９】
2018131897.tif 000011
【図１０】
2018131897.tif 000012
【図１１】
2018131897.tif 000013
【図１２】
2018131897.tif 000014
【図１３】
2018131897.tif 000015
【図１４】
2018131897.tif 000016